(57)【要約】【課題】二次元動作を生じることを可能にするスイング運動ベンチを提供する。【解決手段】底座１０は、平面上に据えられ、四つの第一接続部１１を有し、第一接続部１１はスイングロッド１２を有する。電動機２０は、回転動力を供給するため底座１０に装着される。回転軸２１は電動機２０に伴って連動するように底座１０に装着され、両端に偏心軸２２を有する。各第一連動棒４０と第二連動棒４１が一組ずつ結合され、回転軸２１の両端に別々に装着される。第一連動棒４０および第二連動棒４１は一端が回転軸２１の両端上の偏心軸２２に別々に接続され、他端が対応するスイングロッド１２に別々に接続される。ベンチは底部に二つの第二接続部５１および二つの連結部５２を有し、第二接続部５１は第三連動棒５３を有する。ベンチは第三連動棒５３によって第一連動棒４０に接続され、連接部５２によって第二連動棒４１に接続される。【選択図】図１
2010207570.tif 000002
【特許請求の範囲】
【請求項１】
平面上に据えられ、四つの第一接続部を有し、前記第一接続部はスイングロッドを有する底座と、
回転動力を供給するため底座上に装着される電動機と、
前記電動機に伴って連動するように前記底座上に装着され、両端に偏心軸を別々に有する回転軸と、
一つの第一連動棒と一つの第二連動棒が一組ずつ結合し、かつ回転軸の両端に別々に装着される二つの第一連動棒および二つの第二連動棒であって、前記第一連動棒および前記第二連動棒の一端が回転軸の両端上の偏心軸に別々に接続され、前記第一連動棒および前記第二連動棒の他端が前記底座上の互いに対応する前記スイングロッドに別々に接続される二つの第一連動棒および二つの第二連動棒と、
第三連動棒を有する二つの第二接続部および二つの連結部を底部に有するベンチと、を備え、
前記ベンチは二つの前記第二接続部の前記第三連動棒によって前記第一連動棒に接続され、二つの前記連接部によって前記第二連動棒に接続されることを特徴とするスイング運動ベンチ。
【請求項２】
前記第三連動棒と前記第一連動棒との接続位置および前記第一連動棒と前記偏心軸との接続位置は、前記スイングロッドと前記第一連動棒との接続位置上の異なる側にあり、
前記連結部と前記第二連動棒の接続位置および前記第二連動棒と前記偏心軸との接続位置は、前記スイングロッドと前記第二連動棒との接続位置上の異なる側にあることを特徴とする請求項１に記載のスイング運動ベンチ。
【請求項３】
前記第三連動棒と前記第一連動棒との接続位置および前記第一連動棒と前記偏心軸の接続位置は、前記スイングロッドと前記第一連動棒との接続位置上の同じ側にあり、
前記連結部と前記第二連動棒との接続位置および前記第二連動棒と前記偏心軸との接続位置は、前記スイングロッドと前記第二連動棒との接続位置上の同じ側にあることを特徴とする請求項１に記載のスイング運動ベンチ。
【請求項４】
二つの前記第二接続部と前記第一連動棒との接続位置は、前記スイングロッドと前記第一連動棒との接続位置と同じであり、
二つの前記連結部と前記第二連動棒との接続位置は、前記スイングロッドと前記第二連動棒との接続位置と同じであることを特徴とする請求項１に記載のスイング運動ベンチ。
【請求項５】
前記第三連動棒と前記第一連動棒との接続位置および前記第一連動棒と前記偏心軸との接続位置は、前記スイングロッドと前記第一連動棒との接続位置上の異なる側にあり、
前記連結部と前記第二連動棒との接続位置および前記第二連動棒と前記偏心軸との接続位置は、前記スイングロッドと前記第二連動棒との接続位置上の同じ側にあることを特徴とする請求項１に記載のスイング運動ベンチ。
【請求項６】
前記ベンチの上にシートを有することを特徴とする請求項１に記載のスイング運動ベンチ。
【請求項７】
前記ベンチの上に支持棒を有することを特徴とする請求項１に記載のスイング運動ベンチ。
【請求項８】
前記電動機は、減速モーターであることを特徴とする請求項１に記載のスイング運動ベンチ。
【請求項９】
前記底座の上に減速機構を有し、
前記減速機構は前記電動機の回転動力を前記回転軸に伝動し、前記回転軸を回転させるため、前記電動機および前記回転軸に接続されることを特徴とする請求項１に記載のスイング運動ベンチ。
【発明の詳細な説明】
【技術分野】
【０００１】
本発明は、運動設備用品に関し、詳しくは立ったり座ったり横になったりすることを可能にするスイング運動ベンチに関するものである。
【背景技術】
【０００２】
立ったり座ったり横になったりすることを可能にする市販の運動ベンチの中では、一部分は水平次元の往復運動を行い、一部分は垂直次元の往復運動を行なう。どんな構造にも係わらず、これらの運動ベンチは一次元の往復運動のみを提供するのに対し、二次元の往復運動を提供できる運動ベンチはなかった。
【発明の概要】
【発明が解決しようとする課題】
【０００３】
本発明の主な目的は、二次元動作を生じることを可能にするスイング運動ベンチを提供することである。
【課題を解決するための手段】
【０００４】
上述の目的を達成するために、本発明によるスイング運動ベンチは、底座、電動機、回転軸、二つの第一連動棒、二つの第二連動棒およびベンチを備える。底座は、平面上に据えられ、四つの第一接続部を有し、第一接続部はスイングロッドを有する。電動機は、回転動力を供給するため底座上に装着される。回転軸は電動機に伴って連動するように底座上に装着され、両端に偏心軸を別々に有する。二つの第一連動棒および二つの第二連動棒は、一つの第一連動棒と一つの第二連動棒が一組ずつ結合し、かつ回転軸の両端に別々に装着される。第一連動棒および第二連動棒の一端は回転軸の両端上の偏心軸に別々に接続され、第一連動棒および第二連動棒の他端は底座上の互いに対応するスイングロッドに別々に接続される。ベンチは底部に二つの第二接続部および二つの連結部を有し、第二接続部は第三連動棒を有する。ベンチは二つの第二接続部の第三連動棒によって第一連動棒に接続され、二つの連接部によって第二連動棒に接続される。偏心軸が回転し、第一連動棒および第二連動棒を連動させる際、スイングロッドは同じ方向にスイング運動を行い、第一連動棒および第二連動棒に接続されるベンチはスイングロッドに伴い、スイング運動を行なう。かつスイングロッドは同じ方向にスイング運動を行なうため、ベンチは円弧状に左右移動する。かつ第一連動棒および第二連動棒はシーソーのように上下移動するため、ベンチは二次元的に移動することが可能である。
【図面の簡単な説明】
【０００５】
【図１】本発明の第一実施形態によるスイング運動ベンチにおいてベンチが装着されていない状態を示す立体図である。
【図２】本発明の第一実施形態によるスイング運動ベンチを示す側面図である。
【図２Ａ】本発明の第一実施形態によるスイング運動ベンチが作動する際、ベンチを移動させる状態を示す模式図である。
【図２Ｂ】本発明の第一実施形態によるスイング運動ベンチが作動する際、ベンチを移動させる状態を示す模式図である。
【図２Ｃ】本発明の第一実施形態によるスイング運動ベンチが作動する際、ベンチを移動させる状態を示す模式図である。
【図２Ｄ】本発明の第一実施形態によるスイング運動ベンチが作動する際、ベンチを移動させる状態を示す模式図である。
【図３】本発明の第二実施形態によるスイング運動ベンチを示す側面図である。
【図３Ａ】本発明の第二実施形態によるスイング運動ベンチが作動する際、ベンチを移動させる状態を示す模式図である。
【図３Ｂ】本発明の第二実施形態によるスイング運動ベンチが作動する際、ベンチを移動させる状態を示す模式図である。
【図３Ｃ】本発明の第二実施形態によるスイング運動ベンチが作動する際、ベンチを移動させる状態を示す模式図である。
【図３Ｄ】本発明の第二実施形態によるスイング運動ベンチが作動する際、ベンチを移動させる状態を示す模式図である。
【図４】本発明の第三実施形態によるスイング運動ベンチを示す側面図である。
【図４Ａ】本発明の第三実施形態によるスイング運動ベンチが作動する際、ベンチを移動させる状態を示す模式図である。
【図４Ｂ】本発明の第三実施形態によるスイング運動ベンチが作動する際、ベンチを移動させる状態を示す模式図である。
【図４Ｃ】本発明の第三実施形態によるスイング運動ベンチが作動する際、ベンチを移動させる状態を示す模式図である。
【図４Ｄ】本発明の第三実施形態によるスイング運動ベンチが作動する際、ベンチを移動させる状態を示す模式図である。
【図５】本発明の第四実施形態によるスイング運動ベンチを示す側面図である。
【図５Ａ】本発明の第四実施形態によるスイング運動ベンチが作動する際、ベンチを移動させる状態を示す模式図である。
【図５Ｂ】本発明の第四実施形態によるスイング運動ベンチが作動する際、ベンチを移動させる状態を示す模式図である。
【図５Ｃ】本発明の第四実施形態によるスイング運動ベンチが作動する際、ベンチを移動させる状態を示す模式図である。
【図５Ｄ】本発明の第四実施形態によるスイング運動ベンチが作動する際、ベンチを移動させる状態を示す模式図である。
【図６】本発明の第一実施形態によるスイング運動ベンチの使用状態を示す模式図である。
【図７】本発明の第一実施形態によるスイング運動ベンチを示す分解図である。
【発明を実施するための形態】
【０００６】
以下、本発明によるスイング運動ベンチを図面に基づいて説明する。
（一実施形態）
図１、図２および図７に示すように、本発明の第一実施形態によるスイング運動ベンチは底座１０、電動機２０、回転軸２１、減速機構３０、二つの第一連動棒４０、二つの第二連動棒４１およびベンチ５０を備える。
底座１０は、平面上に据えられ、四つの第一接続部１１を有し、第一接続部１１はスイングロッド１２を有する。
電動機２０は、回転動力を供給するため底座１０上に装着される。
回転軸２１は、底座１０上に装着され、両端に偏心軸２２を別々に有する。
【０００７】
減速機構３０は、電動機２０の回転動力を回転軸２１に伝動し、回転軸２１を回転させるため、電動機２０および回転軸２１に接続される。本実施形態は、電動機２０および減速機構３０の組み合わせの代わりに減速モーターを使用することによって同様に回転軸を回転させることも可能である。
二つの第一連動棒４０および二つの第二連動棒４１は、一つの第一連動棒４０と一つの第二連動棒４１が一組ずつ結合し、かつ回転軸２１の両端に別々に装着される。第一連動棒４０および第二連動棒４１の一端は回転軸２１の両端上の偏心軸２２に別々に接続される。第一連動棒４０および第二連動棒４１の他端は底座１０上の互いに対応するスイングロッド１２に別々に接続される。
【０００８】
ベンチ５０は、底部に二つの第二接続部５１および二つの連結部５２を有し、第二接続部５１は第三連動棒５３を有する。ベンチ５０は二つの第二接続部５１の第三連動棒５３によって第一連動棒４０に接続され、二つの連接部５２によって第二連動棒４１に接続される。
【０００９】
本実施形態において、第三連動棒５３と第一連動棒４０の接続位置および第一連動棒４０と偏心軸２２の接続位置はスイングロッド１２と第一連動棒４０の接続位置上の異なる側にある。連結部５２と第二連動棒４１の接続位置および第二連動棒４１と偏心軸２２の接続位置はスイングロッド１２と第二連動棒４１の接続位置上の異なる側にある。
第一実施形態の構造により、本発明によるスイング運動ベンチが作動する際、電動機２０は回転すると同時に回転軸２１を回転させ、偏心軸２２は第一連動棒４０と第二連動棒４１を連動させるとともにスイングロッド１２は同じ方向にスイング運動を行なう。このとき第一連動棒４０および第二連動棒４１に接続されるベンチ５０はそれらに伴いスイング運動を行なう。偏心軸２２の回転軌道が円形を呈する場合、スイングロッド１２は同じ方向にスイング運動を行なうため、ベンチ５０は円弧状に左右移動する。かつ第一連動棒４０および第二連動棒４１はシーソーのように上下移動するため、ベンチ５０は上下に移動する。ベンチ５０およびベンチ５０の両端上の接続箇所の移動軌道は図２Ａから図２Ｄに示すように楕円形を呈するため、ベンチ５０は横向きおよび上下の二次元運動を同時に行なうことが可能である。
【００１０】
図３に示すように、本発明の第二実施形態によるスイング運動ベンチは構造が第一実施形態と同じである。第一実施形態との違いは次のとおりである。第三連動棒５３と第一連動棒４０の接続位置および第一連動棒４０と偏心軸２２の接続位置はスイングロッド１２と第一連動棒４０の接続位置上の同じ側にある。連結部５２と第二連動棒４１の接続位置および第二連動棒４１と偏心軸２２の接続位置はスイングロッド１２と第二連動棒４１の接続位置上の同じ側にある。本実施形態は同様に電動機２０を介して偏心軸２２を回転させることによってベンチ５０、二つの第三連動棒５３および二つの連結部５２を連動させる。ベンチ５０およびベンチ５０の両端上の接続箇所の移動軌道は図３Ａから図３Ｄに示したとおりであるため、ベンチ５０は偏心軸２２の回転によって二次元運動を行なうことが可能である。
【００１１】
図４に示すように、本発明の第三実施形態によるスイング運動ベンチは構造が第一実施形態と同じである。第一実施形態との違いは次のとおりである。二つの第二接続部５１と第一連動棒４０の接続位置はスイングロッド１２と第一連動棒４０の接続位置と同じである。二つの連結部５２と第二連動棒４１の接続位置はスイングロッド１２と第二連動棒４１の接続位置と同じである。本実施形態において、偏心軸２２が回転する際、第一連動棒４０および第二連動棒４２はスイングロッド１２をスイング運動させ、ベンチ５０はスイングロッド１２に伴い横向きにスイング運動する。本実施形態において、ベンチ５０および二つの第三連動棒５３および二つの連結部５２の移動軌道は図４Ａから図４Ｄに示したとおりであるため、ベンチ５０は横向きの移動および上下移動の二次元運動を行なうことが可能である。
【００１２】
図５に示すように、本発明の第四実施形態によるスイング運動ベンチは構造が第一実施形態と同じである。第一実施形態との違いは次のとおりである。第三連動棒５３と第一連動棒４０の接続位置および第一連動棒４０と偏心軸２２の接続位置はスイングロッド１２と第一連動棒４０の接続位置上の異なる側にある。連結部５２と第二連動棒４１の接続位置および第二連動棒４１と偏心軸２２の接続位置はスイングロッド１２と第二連動棒４１の接続位置上の同じ側にある。本実施形態の接続位置により、ベンチ５０が作動する際、運動軌道は図５Ａから図５Ｄに示したとおりである。ベンチ５０は、ベンチ５０の一側を上昇させたりベンチ５０の他側を降下させたりする交互運動および往復移動を繰り返すことによって横向きおよび上下の二次元運動を行なうことが可能である。本実施形態は、二つの第三連動棒５３と二つの連結部５２の接続位置を交替し、第三連動棒５３と第一連動棒４０の接続位置および第一連動棒４０と偏心軸２２の接続位置をスイングロッド１２と第一連動棒４０の接続位置上の同じ側に据え、連結部５２と第二連動棒４１の接続位置および第二連動棒４１と偏心軸２２の接続位置をスイングロッド１２と第二連動棒４１の接続位置上の異なる側に据えることが可能であるため、ベンチ５０が移動する際、同じ効果を生じることが可能となる。
【００１３】
図６は本発明によるスイング運動ベンチの使用状態を示す模式図である。使用の際、異なる需要に応じ、ベンチ５０上に使用者の座臥に用いるシート６０または使用者の支えに用いる支持棒６１を増設することが可能である。シート６０または支持棒６１を増設しても使用効果が同じである。
【符号の説明】
【００１４】
１０：底座、  １１：第一接続部、  １２：スイングロッド、  ２０：電動機、  ２１：回転軸、  ２２：偏心軸、  ３０：減速機構、  ４０：第一連動棒、  ４１：第二連動棒、  ５０：ベンチ、  ５１：第二接続部、  ５２：連結部、  ５３：第三連動棒、  ６０：シート、  ６１：支持棒
【図１】
2010207570.tif 000003
【図２】
2010207570.tif 000004
【図２Ａ】
2010207570.tif 000005
【図２Ｂ】
2010207570.tif 000006
【図２Ｃ】
2010207570.tif 000007
【図２Ｄ】
2010207570.tif 000008
【図３】
2010207570.tif 000009
【図３Ａ】
2010207570.tif 000010
【図３Ｂ】
2010207570.tif 000011
【図３Ｃ】
2010207570.tif 000012
【図３Ｄ】
2010207570.tif 000013
【図４】
2010207570.tif 000014
【図４Ａ】
2010207570.tif 000015
【図４Ｂ】
2010207570.tif 000016
【図４Ｃ】
2010207570.tif 000017
【図４Ｄ】
2010207570.tif 000018
【図５】
2010207570.tif 000019
【図５Ａ】
2010207570.tif 000020
【図５Ｂ】
2010207570.tif 000021
【図５Ｃ】
2010207570.tif 000022
【図５Ｄ】
2010207570.tif 000023
【図６】
2010207570.tif 000024
【図７】
2010207570.tif 000025